(57)【特許請求の範囲】
【請求項１】
リモートコントロール装置から送信される赤外線信号によるリモートコントロール信号を受光する赤外線信号受光部と、
上記赤外線信号受光部からの赤外線信号のコードを復調する復調回路と、
上記復調回路の出力に応じて所定の表示を実行させる表示制御部とを備えた電子機器において、
上記表示制御部は、上記リモートコントロール装置のキーが押され続けたことで通常の状態ではない連続的に赤外線信号が受光される状況が続いているか否かを判断し、キーが押され続けたことで連続的に受光している状態が続いている状況のとき上記表示がオンになるように制御し、キーが押され続けた状態でない受光の場合には上記表示がオフになるように制御する
電子機器。
【請求項２】
請求項１記載の電子機器において、
警告用の文字を記憶するキャラクタ記憶部を備え、
該キャラクタ記憶部に記憶された上記警告用の文字により、上記リモートコントロール信号が連続的に出力されていることを警告する
電子機器。
【請求項３】
請求項２記載の電子機器において、
上記警告用の文字は、再生される映像信号にスーパーインポーズされて表示されることを特徴とする
電子機器。
【発明の詳細な説明】
【０００１】
【発明の属する技術分野】
本発明は、赤外線信号によるリモートコントロール信号受光部を備えた電子機器に関する。
【０００２】
【従来の技術】
従来、リモートコントロール装置からの赤外線信号（リモートコントロール信号）を受光して、その赤外線信号で各種動作制御が行われる電子機器が各種実用化されている。例えば、リモートコントロール信号受光部を備えたテレビジョン受像機の場合には、リモートコントロール装置からのリモートコントロール信号により、電源のオン・オフ制御、チャンネル切換、入力切換、ボリューム調整などが可能である。また、リモートコントロール信号受光部を備えたビデオテープ記録・再生装置（以下ＶＴＲ装置と称する）の場合には、電源のオン・オフ制御、再生状態の制御、録画の制御などが可能である。
【０００３】
このように種々の電子機器で、リモートコントロール装置からの制御が可能なように構成されていて、例えば家庭内などの１つの部屋の中で、リモートコントロール装置により制御ができる機器が複数台存在することが一般的になっている。
【０００４】
【発明が解決しようとする課題】
ところで、リモートコントロール装置は、その使用状態によっては、正しく機器を制御できない場合がある。即ち、基本的にリモートコントロール装置から出力される赤外線信号が、被制御機器で正しく受光できる必要があり、何らかの妨害となる要因があると、正しく制御ができない。例えば図８に示すように、リモートコントロール装置により制御できる機器として、テレビジョン受像機１とＶＴＲ装置２とが配置してあり、それぞれの機器１，２を制御するリモートコントロール装置３，４が用意されていた場合に、ＶＴＲ用リモートコントロール装置４のキーが、何らかの物体で踏まれて、そのリモートコントロール装置４からの赤外線信号が出力され続けている状態であるとする。
【０００５】
このようなときには、例えば各リモートコントロール装置３，４から出力される赤外線信号が、同じ搬送波を使用するものであるとき、テレビジョン受像機用リモートコントロール装置３を操作して、テレビジョン受像機の動作を制御する赤外線信号を出力させても、ＶＴＲ用の赤外線信号が妨害信号となって、テレビジョン受像機１でテレビジョン受像機用の赤外線信号を正しく受光できなくなってしまい、テレビジョン受像機の動作制御ができない状況になってしまう。このようなとき、従来はなぜ操作ができない状況であるのか操作者が直ぐに判断することは困難であった。
【０００６】
本発明の目的は、リモートコントロール信号の受光状況が判るようにして、不動作時などの対処が容易にとれるようにすることにある。
【０００７】
【課題を解決するための手段】
この目的を達成するために、本発明の電子機器は、リモートコントロール装置から送信される赤外線信号受光部からの赤外線信号のコードを復調する復調回路と、復調回路の出力に応じて赤外線信号受光部での受光状態によって、所定の表示を実行させる表示制御部を備え、表示制御部は、リモートコントロール装置のキーが押され続けたことで通常の状態ではない連続的に赤外線信号が受光される状況が続いているか否かを判断し、キーが押され続けたことで連続的に受光している状態が続いている状況のとき表示がオンになるように制御し、キーが押され続けた状態でない受光の場合には表示がオフになるように制御するものである。
【０００８】
本発明によると、表示制御部での制御による表示状況によって、赤外線信号を受光している状況が判る。
【０００９】
【発明の実施の形態】
以下、本発明の第１の実施の形態を、図１及び図２を参照して説明する。
【００１０】
本例においては、記録媒体に記録された信号（例えば光ディスクに記録された音声信号や映像信号など）を再生する再生装置に適用した例としてある。以下、その再生装置の構成を図１を参照して説明すると、再生装置１０は、各部の動作制御を行うマイクロコンピュータである中央制御装置（ＣＰＵ）１１を備え、各種操作キーなどで構成される操作部１２の操作情報が中央制御装置１１に供給される。この操作部１２の操作などに基づいて、再生処理部１３で記録媒体からの再生を、中央制御装置１１が制御する。また、液晶ディスプレイ或いは螢光表示管などで構成される表示部１４を備え、再生状況などを中央制御装置１１の制御により表示する。
【００１１】
そして本例においては、操作部１２の操作以外に、リモートコントロール装置（図示せず）からの赤外線信号によっても再生などの各種動作が制御できる構成としてある。即ち、赤外線信号を受光する受光部としてのフォトトランジスタ１５のコレクタが、所定の電源電圧ＶDDが得られる電源端子１６に接続してあり、フォトトランジスタ１５のエミッタを、抵抗器Ｒ１１を介して接地電位部に接続する。この場合、フォトトランジスタ１５は、所定の帯域の赤外線信号の入射があったとき導通するスイッチング素子である。そして、このフォトトランジスタ１５と抵抗器Ｒ１１との接続中点に得られる信号を、増幅器１７に供給して増幅し、その増幅出力を復調回路１８に供給し、受光した赤外線信号のコードを復調する処理を行い、その復調されたデータを、中央制御装置１１に供給する。
【００１２】
また本例においては、リモートコントロール装置などからの赤外線信号をフォトトランジスタ１５が受光したとき、その信号を受光している間、表示する表示手段が設けてある。即ち、フォトトランジスタ１５の出力を増幅する増幅器１７の出力を、インバータゲート１９と抵抗器Ｒ１３を介して、表示制御手段としてのＮＰＮ型のトランジスタＴＲ１１のベースに供給する。また、表示手段としての発光ダイオードＬＤ１１の一端を電源端子１６に接続し、この発光ダイオードＬＤ１１の他端を、抵抗器Ｒ１２を介してトランジスタＴＲ１１のコレクタに接続し、このトランジスタＴＲ１１のエミッタを、接地電位部に接続する。
【００１３】
図２は、本例の再生装置１０の外観（前面パネル部）の一例を示したもので、例えば光ディスクなどの記録媒体の挿入部１０ａが前面パネル部に設けてあると共に、操作部１２を構成する複数のキーが配置してあり、またトラック番号，再生時間などの再生状態などを表示する表示部１４が配置してある。そして、赤外線信号の受光部であるフォトトランジスタ１５の赤外線信号入射部と、発光ダイオードＬＤ１１の発光面が、前面パネル部に露出している。
【００１４】
このような構成としてあることで、この再生装置１０を操作することができるリモートコントロール装置を用意して、そのリモートコントロール装置に配置されたキーなどを操作して赤外線信号を出力させることで、その赤外線信号がフォトトランジスタ１５で受光されて、その受光した信号に含まれるコードが復調されて、中央制御装置１１に供給され、中央制御装置１１がそのコードで指示された状態に、各部を制御することができる。
【００１５】
そして、フォトトランジスタ１５で赤外線信号を受光している間は、トランジスタＴＲ１１がオン状態となって、発光ダイオードＬＤ１１が発光し、赤外線信号を再生装置１０が受光していることが、発光ダイオードＬＤ１１の発光により告知される。従って、例えばリモートコントロール装置に配置されたキーを押して赤外線信号を出力させたとき、その赤外線信号が再生装置１０で正しく受光できているときには、そのキーが押されている間、発光ダイオードＬＤ１１が発光し、その発光状況から赤外線信号の伝送状態が判断できる。また、誤って何らかのリモートコントロール装置（このリモートコントロール装置は再生装置１０以外の機器を操作するものを含む）のキーが押され続けた状態になって、再生装置１０のフォトトランジスタ１５にこの赤外線信号が受光され続けている状況のとき、この再生装置１０は作動しないが、受光状態が続いていることが発光ダイオードＬＤ１１の発光により告知され、再生装置１０の近傍にいる者が異常な状態であると直ちに判り、キーが押され続けているリモートコントロール装置を探すなどの対処が容易にとれる。
【００１６】
次に、本発明の第２の実施の形態を、図３及び図４を参照して説明する。
【００１７】
本例においては、記録媒体に記録された信号（例えば光ディスクに記録された音声信号や映像信号など）を再生する再生装置に適用した例としてある。以下、その再生装置の構成を図３を参照して説明すると、再生装置２０は、各部の動作制御を行うマイクロコンピュータである中央制御装置（ＣＰＵ）２１を備え、各種操作キーなどで構成される操作部２２の操作情報が中央制御装置２１に供給される。この操作部２２の操作などに基づいて、再生処理部２３で記録媒体からの再生を、中央制御装置２１が制御する。また、液晶ディスプレイ或いは螢光表示管などで構成される表示部２４を備え、再生状況などを中央制御装置２１の制御により表示する。
【００１８】
そして本例においては、操作部２２の操作以外に、リモートコントロール装置（図示せず）からの赤外線信号によっても再生などの各種動作が制御できる構成としてある。即ち、赤外線信号を受光する受光部としてのフォトトランジスタ２５のコレクタが、所定の電源電圧ＶDDが得られる電源端子２６に接続してあり、フォトトランジスタ２５のエミッタを、抵抗器Ｒ２１を介して接地電位部に接続する。この場合、フォトトランジスタ２５は、所定の帯域の赤外線信号の入射があったとき導通するスイッチング素子である。そして、このフォトトランジスタ２５と抵抗器Ｒ２１との接続中点に得られる信号を、増幅器２７に供給して増幅し、その増幅出力を復調回路２８に供給し、受光した赤外線信号のコードを復調する処理を行い、その復調されたデータを、中央制御装置２１に供給する。ここまでは、第１の実施の形態で説明した構成と同じである。
【００１９】
そして本例においては、リモートコントロール装置などからの赤外線信号をフォトトランジスタ２５がほぼ連続的に受光したとき、その信号を受光している間、中央制御装置２１の制御により、表示手段としての発光ダイオードＬＤ２１を発光させる構成としてある。即ち、表示手段としての発光ダイオードＬＤ２１の一端を電源端子２６に接続し、この発光ダイオードＬＤ２１の他端を、抵抗器Ｒ２２を介してＮＰＮ型のトランジスタＴＲ２１のコレクタに接続し、このトランジスタＴＲ２１のエミッタを、接地電位部に接続する。そして、中央制御装置２１が出力する点灯制御信号を、抵抗器Ｒ２３を介してトランジスタＴＲ２１のベースに供給する。この点灯制御信号は、復調回路２８の出力などに基づいて、フォトトランジスタ２５にほぼ連続して赤外線信号の受光があることを、中央制御装置２１が判断したとき、トランジスタＴＲ２１をオン状態とする信号となり、フォトトランジスタ２５に連続的な赤外線信号の受光がないと中央制御装置２１が判断したとき、トランジスタＴＲ２１をオフ状態とする信号である。この点灯制御信号に基づいて、トランジスタＴＲ２１がオン状態となるとき、発光ダイオードＬＤ２１が発光する。
【００２０】
図４のフローチャートは、本例の中央制御装置２１の制御により発光ダイオードＬＤ２１を発光させる制御処理の例を示したもので、以下説明すると、中央制御装置２１は復調回路２８の出力などから連続してリモートコントロール信号（赤外線信号）が入力しているか否か判断し（ステップ１０１）、ほぼ連続して入力していると判断したとき、トランジスタＴＲ２１をオン状態とする点灯制御信号の出力を開始させる（ステップ１０２）。そして、連続したリモートコントロール信号の入力がなくなったか否か判断し（ステップ１０３）、連続した入力がある場合にはそのままで待機し、連続した入力がなくなった場合には、トランジスタＴＲ２１をオン状態とする点灯制御信号の出力を停止（即ちトランジスタをオフ状態とする信号を出力）させ（ステップ１０４）、ステップ１０１に戻る。
【００２１】
このような構成としてあることで、第１の実施の形態の場合と同様に、この再生装置２０を操作することができるリモートコントロール装置を用意することで、そのリモートコントロール装置により、再生装置２０の各種動作制御ができる。そして、フォトトランジスタ２５で赤外線信号をほぼ連続的に受光している間は、その状態が中央制御装置２１で判断されて、中央制御装置２１の制御で発光ダイオードＬＤ２１が発光し、例えば異常なリモートコントロール信号の受光状態であることが、発光ダイオードＬＤ２１の発光により告知される。
【００２２】
即ち、本実施の形態の場合には、例えばリモートコントロール装置のキーを１回押した程度のようなときに出力される単発的なリモートコントロール信号が入力した状態の場合には、発光ダイオードＬＤ２１が発光せず、異常な入力状態の場合にだけ発光ダイオードＬＤ２１が発光するので、この発光ダイオードＬＤ２１の発光で、異常な状態であることを、的確に告知することができる。従って、誤って何らかのリモートコントロール装置（このリモートコントロール装置は再生装置２０以外の機器を操作するものを含む）のキーが押され続けた状態になって、再生装置２０のフォトトランジスタ２５にこの赤外線信号が受光され続けている状況のとき、受光状態が続いていることが発光ダイオードＬＤ２１の発光により告知され、再生装置２０の近傍にいる者が異常な状態であると直ちに判り、キーが押され続けているリモートコントロール装置を探すなどの対処が容易にとれる。
【００２３】
次に、本発明の第３の実施の形態を、図５〜図７を参照して説明する。
【００２４】
本例においては、光ディスクなどの記録媒体に記録された映像信号を再生する再生装置に適用した例としてある。以下、その再生装置の構成を図５を参照して説明すると、再生装置３０は、各部の動作制御を行うマイクロコンピュータである中央制御装置（ＣＰＵ）３１を備え、各種操作キーなどで構成される操作部３２の操作情報が中央制御装置３１に供給される。この操作部３２の操作などに基づいて、再生処理部３３で記録媒体からの映像信号の再生と、その再生された映像信号の映像処理部３４での出力処理を、中央制御装置３１が制御する。映像処理部３４で処理された映像信号は、出力端子３５に接続された受像機（図示せず）に表示される。
【００２５】
また、中央制御装置３１は、文字，数字などの表示用キャラクタデータが記憶されたキャラクタ記憶部３６が接続してある。そして、中央制御装置３１の制御に基づいて、キャラクタ記憶部３６に記憶された所定の文字，数字の表示用データを読出して映像処理部３４に供給し、映像処理部３４で処理する映像信号に、各種文字，数字を重畳させるスーパーインポーズ処理ができるようにしてある。このキャラクタ記憶部３６に記憶された文字，数字によるスーパーインポーズ処理としては、例えば再生トラック番号などの再生状況に関する表示の他に、ここでは後述するリモートコントロール信号の異常受光状態を警告する表示も行うようにしてある。
【００２６】
そして本例においては、操作部３２の操作以外に、リモートコントロール装置（図示せず）からの赤外線信号によっても再生などの各種動作が制御できる構成としてある。即ち、赤外線信号を受光する受光部としてのフォトトランジスタ３８のコレクタが、所定の電源電圧ＶDDが得られる電源端子３７に接続してあり、フォトトランジスタ３８のエミッタを、抵抗器Ｒ３１を介して接地電位部に接続する。この場合、フォトトランジスタ３８は、所定の帯域の赤外線信号の入射があったとき導通するスイッチング素子である。そして、このフォトトランジスタ３８と抵抗器Ｒ３１との接続中点に得られる信号を、増幅器３９に供給して増幅し、その増幅出力を復調回路４０に供給し、受光した赤外線信号のコードを復調する処理を行い、その復調されたデータを、中央制御装置３１に供給する。
【００２７】
そして本例においては、リモートコントロール装置などからの赤外線信号をフォトトランジスタ３８がほぼ連続的に受光したとき、その信号を受光している間、中央制御装置３１の制御により、映像処理部３４で処理される映像信号に、警告文字をスーパーインポーズして、出力端子３５に接続された受像機で表示される映像中に、警告文字が表示される構成としてある。
【００２８】
以下、中央制御装置３１の制御により警告文字を表示させる処理を、図６のフローチャートを参照して説明すると、中央制御装置３１は復調回路４０の出力などから連続してリモートコントロール信号（赤外線信号）が入力しているか否か判断し（ステップ２０１）、ほぼ連続して入力していると判断したとき、警告文字を構成するキャラクタデータを記憶部３６から読出して、映像処理部３４に供給し、その警告文字を再生した映像信号にスーパーインポーズさせる（ステップ２０２）。図７は、警告文字がスーパーインポーズされた映像信号を受像機５０の画面５１に表示させた一例を示したもので、画面５１の中に、警告文字列５２として「注意：リモコンが押され続けています」が表示される。
【００２９】
この状態で、中央制御装置３１は連続したリモートコントロール信号の入力がなくなったか否か判断し（ステップ２０３）、連続した入力がある場合にはそのままで待機し、連続した入力がなくなった場合には、映像処理部３４での警告文字のスーパーインポーズを停止させ（ステップ２０４）、ステップ２０１に戻る。
【００３０】
このような構成としてあることで、この再生装置３０を操作することができるリモートコントロール装置を用意することで、そのリモートコントロール装置により、再生装置３０の各種動作制御ができると共に、フォトトランジスタ３８で赤外線信号をほぼ連続的に受光している間は、その状態が中央制御装置３１で判断されて、この装置から出力される映像信号に、警告文字を表示させるスーパーインポーズ処理が行われ、この再生装置３０に接続した受像機などの表示手段側での表示で、その状態が告知される。
【００３１】
従って、誤って何らかのリモートコントロール装置（このリモートコントロール装置は例えば再生装置３０以外の機器を操作するものを含む）のキーが押され続けた状態になって、再生装置３０のフォトトランジスタ３５にこの赤外線信号が受光され続けている状況のとき、出力映像の表示状態から告知され、キーが押され続けているリモートコントロール装置を探すなどの対処が容易にとれる。
【００３２】
なお、上述した各実施の形態では、赤外線信号の受光部として、フォトトランジスタを使用したが、その他の素子（例えばフォトダイオードなど）を受光部に使用しても良い。また、受光状態の表示手段として、第１，第２の実施の形態では発光ダイオードを使用したが、その他の表示手段（例えば何らかのパイロットランプや、液晶表示パネルでの文字や図形などによる表示など）を使用しても良い。
【００３３】
また、それぞれの実施の形態で説明した構成を組み合わせるようにしても良い。例えば、第１の実施の形態又は第２の実施の形態で説明した発光ダイオードの点灯による警告処理と、第３の実施の形態で説明した出力映像への警告文字のスーパーインポーズによる警告処理の双方を行うように構成しても良い。
【００３４】
また、上述した各実施の形態では、記録媒体から映像信号などを再生する再生装置に適用した例について説明したが、赤外線信号によるリモートコントロール信号を受光して作動する各種電子機器に、上述した各実施の形態で説明した処理が適用できることは勿論である。例えば、各種オーディオ機器，各種ビデオ機器，プリンタ装置，電話装置，空調装置なども適用できる。
【００３５】
【発明の効果】
本発明によると、表示制御部での制御による表示状況によって、赤外線信号を受光している状況が判り、リモートコントロール装置の操作による赤外線信号が到達しているのが判り、例えばリモートコントロール装置を操作して出力される赤外線信号が、被制御機器に何らかの要因で正しく受光できないとき、表示状況から判ると共に、誤って何らかのリモートコントロール装置が操作され続けて、受光部に赤外線信号が受光され続けている状況のとき、その状況が表示から直ちに判り、異常時の対処が容易にとれる。
【００３７】
また本発明によると、赤外線信号受光部が連続的に赤外線信号を受光している間、表示制御部の制御で所定の表示を実行させることで、通常の状態ではない連続的な赤外線信号の受光時にだけ、その異常状態であることを表示で警告できる。
【００３８】
また本発明によると、キャラクタ記憶部に記憶された警告用の文字により異常状態であることを警告することで、文字により確実に異常状態であることの警告が行える。
【図面の簡単な説明】
【図１】本発明の第１の実施の形態による構成例を示す構成図である。
【図２】本発明の第１の実施の形態による装置の外観の例を示す平面図である。
【図３】本発明の第２の実施の形態による構成例を示す構成図である。
【図４】本発明の第２の実施の形態による点灯制御処理の例を示すフローチャートである。
【図５】本発明の第３の実施の形態による構成例を示す構成図である。
【図６】本発明の第３の実施の形態による表示制御処理の例を示すフローチャートである。
【図７】本発明の第３の実施の形態による表示例を示す説明図である。
【図８】複数のリモートコントロール装置から信号が出力される例を示す説明図である。
【符号の説明】
１０，２０，３０…再生装置、１１，２１，３１…中央制御装置、１５，２５，３８…フォトトランジスタ、３４…映像処理部、３６…キャラクタ記憶部、ＬＤ１１，ＬＤ２１…発光ダイオード
【図１】
0003870539.tif 000002
【図２】
0003870539.tif 000003
【図３】
0003870539.tif 000004
【図４】
0003870539.tif 000005
【図５】
0003870539.tif 000006
【図６】
0003870539.tif 000007
【図７】
0003870539.tif 000008
【図８】
0003870539.tif 000009